(57)【要約】【課題】手摺の取り付け構造の規格化を図りつつ、階段勾配や踏み板の奥行の違いに柔軟に対応する。【解決手段】本発明の階段手摺取付ユニットは、伸縮可能に構成されて、階段の踏み板Ｓの奥行き方向に対して伸縮方向を平行な状態にして、前記踏み板の上面に固定される配設部材１１と、前記伸縮方向に離間して、配設部材１１によって直立した姿勢になるように下端部が支持される一対の支柱１３ａ、１３ｂと、一対の支柱１３ａ、１３ｂの上端部に架設され、一対の支柱１３ａ、１３ｂの離間距離Ｌに応じた傾きαで、手摺本体１５を支持する手摺本体支持部材１４とを含む。【選択図】図２
2010255189.tif 000002
【特許請求の範囲】
【請求項１】
伸縮可能に構成されて、階段の踏み板の奥行き方向に対して伸縮方向を平行な状態にして、前記踏み板の上面に固定される配設部材と、
前記伸縮方向に離間して、前記配設部材によって直立した姿勢になるように下端部が支持される一対の支柱と、
前記一対の支柱の上端部に架設され、前記一対の支柱の離間距離に応じた傾きで、手摺本体を支持する手摺本体支持部材とを含む階段手摺取付ユニット。
【請求項２】
前記手摺本体支持部材は、手摺本体を支持する支持部と、前記支持部の両端に回動可能に設けられて前記一対の支柱の上端部に装着される連結部とを含み、階段の傾斜に沿って傾いた状態で前記連結部が前記支柱に固定されるようになっている請求項１記載の階段手摺取付ユニット。
【請求項３】
前記一対の支柱が、それぞれ、中空長尺状を呈し、下端部には、前記配設部材が部分的に挿入され、上端部には、前記連結部が挿入される請求項２に記載の階段手摺取付ユニット。
【請求項４】
前記各連結部は、前記一対の支柱の上端部に挿入される挿入長さが、それぞれ、調整可能に構成されている請求項３に記載の階段手摺取付ユニット。
【請求項５】
前記配設部材は、別体の基部を一対含み、該一対の基部には、伸縮方向と直交する方向に互いに対面して、それぞれ伸縮方向に延びる当接部が設けられ、該当接部に凹凸面が形成されて、それぞれの当接部の凹凸面が互いに噛み合う状態で、クリップによって、前記伸縮方向と直交する方向に狭持されて、前記一対の基部が、一体化される請求項１〜４のいずれか１項に記載の階段手摺取付ユニット。
【請求項６】
前記一対の支柱のうち、一段上の踏み板に近い側に設けられた支柱を該一段上の踏み板の先端部に固定する固定部材が設けられる請求項１〜５のいずれか１項に記載の階段手摺取付ユニット。
【発明の詳細な説明】
【技術分野】
【０００１】
本発明は、オープン階段などに用いられる階段手摺取付ユニットに関する。
【背景技術】
【０００２】
従来、階段の側方が開放されたオープン階段が知られている。一般的に、オープン階段の側方には、転落防止用の柵を兼ねた支柱と、この支柱によって、階段の傾斜角度とほぼ同じ傾斜角度で支持される手摺本体とを有する手摺が一体的に設けられる。
【０００３】
設計段階では、階段の段数、蹴上げ高さ、踏み板の奥行き、階段勾配等の各種設計条件に基づいて、手摺本体の長さ、手摺本体の傾斜角度、支柱の配置間隔などを特定している。たとえば、特許文献１には、階段手摺およびその手摺子が開示されている。このなかでは、手摺子（支柱）の配置間隔が、所定の奥行きの段板（踏み板）に形成された２つの貫通孔の間隔によって決定され、第１の手摺部（手摺本体）の長さおよび傾斜角度が、階段の段数や階段勾配に基づいて決定されている。
【先行技術文献】
【特許文献】
【０００４】
【特許文献１】特開２０００−２５７２３２号公報
【発明の概要】
【発明が解決しようとする課題】
【０００５】
ところが、施工現場においては、階段の段数、蹴上げ高さ、踏み板奥行きなどを適宜調整することが多い。そのため、手摺本体とその取り付け具に関しては、単に、設計段階における階段の段数、蹴上げ高さ、階段勾配などに基づいて特定された出来合いの手摺ユニットを施工現場に持ち込んでも、階段の仕様の変更に対応しきれない場合が多い。それゆえ、手摺の取り付け構造および手摺の取り付け作業は、施工現場においてケースバイケースで対応しており、非常に作業効率が悪いという問題がある。
【０００６】
本発明は上記従来の問題に鑑みてなされたもので、手摺の取り付け構造の規格化を図りつつ、階段勾配や踏み板の奥行の違いに柔軟に対応可能な階段手摺取付ユニットを提供することを目的としている。
【課題を解決するための手段】
【０００７】
本発明の階段手摺取付ユニットは、伸縮可能に構成されて、階段の踏み板の奥行き方向に対して伸縮方向を平行な状態にして、前記踏み板の上面に固定される配設部材と、前記伸縮方向に離間して、前記配設部材によって直立した姿勢になるように下端部が支持される一対の支柱と、前記一対の支柱の上端部に架設され、前記一対の支柱の離間距離に応じた傾きで、手摺本体を支持する手摺本体支持部材とを含むことを特徴としている。
【０００８】
この発明は、階段の踏み板の奥行きと、階段勾配とが密接に関わり合っていることに基づいて、手摺本体の取り付け構造を、踏み板一段単位でモジュール化したものである。一般的に、階段の踏み板の奥行きが大きい場合には、階段勾配が緩勾配である傾向があり、階段の踏み板の奥行きが小さい場合には、階段勾配が急勾配である傾向がある。本発明の階段手摺取付ユニットによれば、踏み板の奥行き方向に伸縮可能に構成された配設部材によって、一対の支柱が互いの間隔を踏み板の奥行き方向に調整されて支持されるとともに、この一対の支柱の離間距離に応じて、手摺本体を支持する手摺本体支持部材の傾きが決定される。つまり、階段の踏み板の奥行きや階段勾配に、施工現場で急遽変更があったとしても、配設部材で支柱の離間距離を調整でき、そして、支柱の離間距離が定まることによって、手摺本体支持部材の傾きが自ずと決定される。したがって、手摺取付ユニットの規格化を図りながら、階段勾配の違いや踏み板の奥行きの違いに柔軟に対応することができる。その結果、現場での手摺取付作業を段取りしやすくなり、作業の効率化を図ることが可能になる。さらに、本発明の階段手摺取付ユニットは階段勾配や踏み板の奥行きの違いによらず規格化できるので、階段手摺取付ユニットの量産を実現できる。
【０００９】
また、前記手摺本体支持部材は、手摺本体を支持する支持部と、前記支持部の両端に回動可能に設けられて前記一対の支柱の上端部に装着される連結部とを含み、階段の傾斜に沿って傾いた状態で前記連結部が前記支柱に固定されるようになっていることが好ましい。
【００１０】
この発明によれば、支持部と、支持部の両端に回動可能に設けられた連結部とによって、簡素で単純な構成で、連結部の離間距離に応じて支持部の傾きが特定される。したがって、連結部の離間距離を一対の支柱の離間距離に合わせて、連結部を一対の支柱の上端部に装着することで、一対の支柱の離間距離に応じて支持部を傾斜させることができる。
【００１１】
また、前記一対の支柱が、それぞれ、中空長尺状を呈し、下端部には、前記配設部材が部分的に挿入され、上端部には、前記連結部が挿入されることが好ましい。
【００１２】
この発明によれば、支柱が中空長尺状を呈し、上端部内部に手摺本体支持部材の連結部および下端部内部に配設部材が部分的に挿入されることで組み立てられる。そして、このような形態を採用することで支柱の外径がある程度太くなり、各部材の組み立てやすさと、支柱の剛性とを確保することができる。
【００１３】
また、前記各連結部は、前記一対の支柱の上端部に挿入される挿入長さが、それぞれ、調整可能に構成されていることが好ましい。
【００１４】
この発明によれば、連結部の支柱の上端部に挿入される挿入長さが調整されることで、支持部の高さを調整することができ、支持部によって支持される手摺本体の高さを調整することができる。
【００１５】
また、前記配設部材は、別体の基部を一対含み、該一対の基部には、伸縮方向と直交する方向に互いに対面して、それぞれ伸縮方向に延びる当接部が設けられ、該当接部に凹凸面が形成されて、それぞれの当接部の凹凸面が互いに噛み合う状態で、クリップによって、前記伸縮方向と直交する方向に狭持されて、前記一対の基部が、一体化されることが好ましい。
【００１６】
この発明によれば、２つの基部は、当接部の凹凸面が噛み合う状態で、クリップによって一体化されるので、伸縮機能を有する配設部材を単純な構成で得ることができるとともに、踏み板上への固定前に、配設部材全体の長さを所望の長さに特定した状態が維持される。
【００１７】
また、前記一対の支柱のうち、一段上の踏み板に近い側に設けられた支柱を該一段上の踏み板の先端部に固定する固定部材が設けられることが好ましい。
【００１８】
この発明によれば、固定部材によって、支柱の一方が固定されるので、固定された支柱を補助的に支えることができる。
【発明の効果】
【００１９】
本発明によれば、手摺の取り付け構造の規格化を図りつつ、階段勾配や踏み板の奥行の違いに柔軟に対応できる。
【図面の簡単な説明】
【００２０】
【図１】オープン階段を説明するための斜視図である。
【図２】手摺取付ユニットを概略的に説明するための側面図である。
【図３】図２のＩＩＩ−ＩＩＩ線断面図である。
【図４】図２のＩＶ−ＩＶ線断面図である。
【図５】基部材を説明するための斜視図である。
【図６】配設部材を説明するための斜視図である。
【図７】配設部材を説明するための平面図である。
【図８】支柱を説明するための斜視図である。
【図９】手摺本体支持部材を説明するための斜視図である。
【図１０】手摺本体支持部材を説明するための側面図である。
【図１１】固定部材を説明するための斜視図である。
【図１２】手摺取付ユニットを概略的に説明するための階段の側面図であり、（ａ）は急勾配かつ踏み板の奥行きが小さい階段に手摺取付ユニットを取り付けた状態を示し、（ｂ）は中勾配かつ踏み板の奥行きが中程度の階段に手摺取付ユニットを取り付けた状態を示し、（ｃ）は緩勾配かつ踏み板の奥行きが大きい階段に手摺取付ユニットを取り付けた状態を示す。
【発明を実施するための形態】
【００２１】
以下で、本実施の形態の階段手摺取付ユニットについて、図面を用いて詳細に説明する。
【００２２】
図１は、オープン階段を説明するための斜視図である。オープン階段に取り付けられる手摺は、各踏み板Ｓにそれぞれ固定される手摺取付ユニットと、各踏み板Ｓに固定された手摺取付ユニット全体によって、所定の傾きで、高さ方向の所定の位置に支持される手摺本体１５とを含む。手摺本体１５は、手摺取付ユニットの上部に取り付けられる長尺状の笠木である。
【００２３】
図２は、手摺取付ユニットを概略的に説明するための側面図である。図３は、図２のＩＩＩ−ＩＩＩ線断面図である。図４は、図２のＩＶ−ＩＶ線断面図である。
【００２４】
実施の形態１の階段手摺取付ユニットは、図１〜図４に示されるように、階段の踏み板Ｓの上面に固定される配設部材１１と、配設部材１１によって直立した姿勢に支持される一対の支柱１３と、一対の支柱１３の上端部に架設される手摺本体支持部材１４と、配設部材１１が固定された踏み板Ｓ１の一段上に設けられた踏み板Ｓ２の先端部に固定される固定部材１２とを含む。
【００２５】
以下では、本実施の形態の階段手摺取付ユニット一単位について説明するが、手摺本体１５は、階段の各踏み板Ｓに対して一単位ずつ設置された階段手摺取付ユニットの集合体によって支持される。
【００２６】
図５は、基部材１１ａ、１１ｂを説明するための斜視図である。図６は、配設部材１１を説明するための斜視図である。図７は、配設部材を説明するための平面図である。
【００２７】
配設部材１１は、一対の支柱１３を所望の距離だけ離間させた状態で直立した姿勢に支持するための部材である。配設部材１１は、オープン階段の開放側の側部に沿って、各踏み板Ｓの上面に固定される。
【００２８】
具体的には、配設部材１１は、図５、図６および図７に示されるように、一対の基部１１ａ、１１ｂと、一対の基部１１ａおよび基部１１ｂを挟み込んで一体化するクリップ１１ｃとを含む。配設部材１１は、伸縮可能に構成されており、伸縮方向を踏み板Ｓの奥行き方向に平行な状態にして固定される。
【００２９】
基部１１ａ、１１ｂは、それぞれ、側面視で略Ｌ字状を呈するとともに、平面視で略Ｌ字状を呈している（図５、図６参照）。基部１１ａ、１１ｂは、それぞれ、水平に延びるように形成されて、踏み板Ｓの上面に固定される底部１１ａ１、１１ｂ１と、一対の支柱１３のうちの一方の下端部を支持する直立部１１ａ２、１１ｂ２とを含む。基部１１ａおよび基部１１ｂは、それぞれの底部１１ａ１、１１ｂ１を挟んで、直立部１１ａ２と直立部１１ｂ２とが向かい合うような格好で、踏み板Ｓ上に配設される。
【００３０】
底部１１ａ１、１１ｂ１には、クリップ１１ｃの一部を嵌め込むための細隙ＯＰが形成されている。この細隙ＯＰは、上下方向に貫通し、配設部材１１の伸縮方向（図７の矢印参照）に延びるように、底部１１ａ１、１１ｂ１のそれぞれに２箇所ずつ形成されている。また、底部１１ａ１、１１ｂ１の側部には、基部１１ａと基部１１ｂとが接触する当接部１１ａ３、１１ｂ３が設けられている。この当接部１１ａ３、１１ｂ３は、伸縮方向に延びる板状に形成され、その側面に微小な凹凸が交互に並ぶ凹凸面が形成されたもので、両当接部１１ａ３、１１ｂ３の凹凸面が互いに対面するように配置されている。そして、両当接部１１ａ３、１１ｂ３の凹凸面が噛み合うことによって、基部１１ａの基部１１ｂに対する伸縮方向のずれが防止され、噛み合いが解除されることによって両当接部１１ａ３、１１ｂ３が相対移動可能となるように構成されている。また、凹凸の大きさを調整することによって、基部１１ｂに対する基部１１ａの位置の微調整が可能となる。
【００３１】
さらに、底部１１ａ１、１１ｂ１には、底部１１ａ１、１１ｂ１を踏み板Ｓに固定するネジを挿通するためのネジ孔ＳＣＲが、複数、上下方向に貫通するように形成されている。また、底部１１ａ１、１１ｂ１には、伸縮方向に直交する方向に延びて、直立したリブ１１ａ４、１１ｂ４が各底部１１ａ１、１１ｂ１に２箇所ずつ形成されている。このリブ１１ａ４、１１ｂ４は、底部１１ａ１、１１ｂ１上を覆うカバー部材Ｃを支えるための部分である。
【００３２】
直立部１１ａ２、１１ｂ２は、底部１１ａ１、１１ｂ１の一端部で、底部１１ａ１、１１ｂ１の上面から垂直上方に延びる部分である。後に説明する支柱１３は、下端部が、この直立部１１ａ２、１１ｂ２に装着される。すなわち、配設部材１１の伸縮調整時には、直立部１１ａ２、１１ｂ２の間隔が所定の離間距離になるように調整されることで、一対の支柱１３の離間距離Ｌが特定される。
【００３３】
クリップ１１ｃは、図６に示されるように、下方に開放する略コの字状を呈した部材であり、垂直に設けられた一対の脚部１１ｃ１と、一対の脚部１１ｃ１の上端を略水平に繋ぐ水平部１１ｃ２とを含む。基部１１ａ、１１ｂのそれぞれに形成された当接部１１ａ３、１１ｂ３を互いに当接させた状態で、両脚部１１ｃ１が、基部１１ａ、１１ｂの各細隙ＯＰに嵌め込まれることにより、クリップ１１ｃで両基部１１ａ、１１ｂの当接部１１ａ３が一括に狭持されるようになっている。このように、２つの基部１１ａ、１１ｂは、当接部１１ａ３、１１ｂ３をその凹凸面が噛み合うようにクリップ１１ｃによって結合されるので、伸縮機能を有する配設部材１１を単純な構成で得ることができるとともに、踏み板Ｓ上への固定前に、配設部材１１全体の長さを所望の長さに特定した状態が維持される。
【００３４】
図８は、一対の支柱１３ａ、１３ｂを説明するための斜視図である。
【００３５】
一対の支柱１３は、図８に示されるように、踏み板Ｓの基端側に設けられる長支柱１３ａと、踏み板Ｓの先端側に設けられる短支柱１３ｂと、長支柱１３ａおよび短支柱１３ｂのそれぞれに、支柱の長手方向に直交するように挿脱可能に設けられる高さ調整部材１３ｃとを含む。
【００３６】
長支柱１３ａは、横断面が矩形状の中空長尺状を呈した部材である。長支柱１３ａの外周面には、長支柱１３ａの長手方向に直線的に延びる凹状の摺動部１３ａ１が形成されている。長支柱１３ａは、この摺動部１３ａ１が形成されている部分を、一段上の踏み板Ｓ２の先端部に向けて設置される。また、長支柱１３ａの下端には、切り欠き１３ａ２が形成されている。基部１１ｂの直立部１１ｂ２が、長支柱１３ａの下端部に挿入されると、底部１１ｂ１が、切り欠き１３ａ２から突出した状態になる（図３参照）。また、長支柱１３ａには、高さ調整部材１３ｃを、水平な姿勢で装着するための挿通孔１３Ａが所定の高さに形成されている。
【００３７】
短支柱１３ｂは、長支柱１３ａよりもやや短く形成されていることを除いては、長支柱１３ａと同様の構成であるので、ここでの重複した説明を省略する。なお、図８（ｂ）中の符号１３ｂ１は、摺動部を表している。
【００３８】
高さ調整部材１３ｃは、ピン状の部材であり、支柱１３ａ、１３ｂの所定の高さに形成された挿通孔１３Ａに、略水平な姿勢で挿入されて、後述の手摺本体支持部材１４と係合し、手摺本体支持部材１４を高さ方向の所定の位置に支持する（図２参照）。
【００３９】
図９は、手摺本体支持部材１４を説明するための斜視図である。図１０は、手摺本体支持部材１４を説明するための側面図である。
【００４０】
手摺本体支持部材１４は、図９、図１０に示されるように、手摺本体１５を直接支持する棒状の支持部１４ａと、支持部１４ｂの両端部に設けられる棒状の連結部１４ｂとを含む。支持部１４ａおよび２本の連結部１４ｂは、支持部１４ａの一方の端部に設けられた第１軸１４ｃ１、支持部１４ａの他方の端部に設けられた第２軸１４ｃ２を中心軸として、双方が回動可能に構成されている。
【００４１】
支持部１４ａの長さＳＰは、予め所定の長さに設定されている。また、各連結部１４ｂは、支持部１４ａに取り付けられた端部の反対側の端部が自由端になっている。さらに、各連結部１４ｂには、複数（たとえば、２つ）の高さ調整孔１４ｂ１が、水平方向に貫通するように、連結部の長手方向に沿って並んで形成されている。この高さ調整孔１４ｂ１には、高さ調整部材１３ｃが選択的に挿入される。つまり、連結部１４ｂの複数の高さ調整孔１４ｂ１のうち、いずれの孔に高さ調整部材１３ｃを挿入するかによって、連結部１４ｂの支柱１３ａ、１３ｂに対する挿入長さが決まる。たとえば、支持部１４ａを高さ方向に、やや高い位置に配置したい場合には、連結部１４ｂの、より下端側に形成された高さ調整孔１４ｂ１を選択して高さ調整部材１３ｃを挿入する。
【００４２】
各連結部１４ｂは、一対の支柱１３の上端部に装着される際に、支持部１４ａの端部から垂れ下がって、互いに平行な状態における離間距離Ｌ’（図１０参照）が、一対の支柱１３の離間距離Ｌ（図２参照）に対応するように調整される。このとき、支持部１４ａの傾斜角度（傾き）αは、支持部１４ａの長さＳＰと、離間距離Ｌ’とによって自ずと定まる。
【００４３】
手摺本体支持部材１４は、連結部１４ｂの一方が長支柱１３ａの上端部に挿入されて、連結部１４ｂの他方が短支柱１３ｂの上端部に挿入される。そして、高さ調整部材１３ｃは、各支柱１３ａ、１３ｂの上端部の所定の位置に形成された挿通孔１３Ａに挿通されて、さらに、連結部１４ｂの所定の位置に形成された高さ調整孔１４ｂ１に挿通されて、水平な姿勢を保ち、連結部１４ｂを所定の高さに支持する。こうして、連結部１４ｂの支柱１３ａ、１３ｂの上端部に対する挿入長さが調整される。このように、連結部１４ｂの支柱１３ａ、１３ｂの上端部に対する挿入長さが調整されることで、支持部１４ａの高さ方向の位置を調整することができ、手摺本体１５の高さ方向の位置を調整することができる。
【００４４】
図１１は、固定部材１２を説明するための斜視図である。
【００４５】
固定部材１２は、図１１に示されるように、締結部１２ａと、長支柱１３ａの摺動部１３ａ２に係合して、長支柱１３ａを直立した姿勢に保つ係合部１２ｂとを含む。
【００４６】
締結部１２ａは、一段上の踏み板Ｓ２の先端面（垂直面）に、ネジ止めなどにより固定される。また、係合部１２ｂは、締結部１２ａと一体に形成されている。長支柱１３ａの下端部が配設部材１１の直立部１１ｂ２に装着されるときには、係合部１２ｂが、摺動部１３ａ１に係合した状態（図４参照）で、摺動部１３ａ２に沿って相対的に摺動する。
【００４７】
図１２は、手摺取付ユニットを概略的に説明するための階段の側面図であり、図１２（ａ）は急勾配かつ踏み板Ｓの奥行きＤが小さい階段に手摺取付ユニットを取り付けた状態を示し、図１２（ｂ）は中勾配かつ踏み板Ｓの奥行きＤが中程度の階段に手摺取付ユニットを取り付けた状態を示し、図１２（ｃ）は緩勾配かつ踏み板Ｓの奥行きＤが大きい階段に手摺取付ユニットを取り付けた状態を示す。なお、図１２（ａ）〜図１２（ｃ）に示された階段手摺取付ユニットは、配設部材１１のみを平面視で示し、そのほかの部材を側面視で示している。
【００４８】
このような、階段手摺取付ユニットは、図１２（ａ）、図１２（ｂ）、図１２（ｃ）に示されるように、階段勾配θの違いや、踏み板Ｓの奥行きＤの違いに柔軟に対応することができる。
【００４９】
たとえば、図１２（ａ）の踏み板Ｓ１、Ｓ２、Ｓ３の奥行きＤ１と、図１２（ｂ）の踏み板Ｓ１、Ｓ２、Ｓ３の奥行きＤ２と、図１２（ｃ）の踏み板Ｓ１、Ｓ２、Ｓ３の奥行きＤ３とは、Ｄ１＜Ｄ２＜Ｄ３の関係が成り立っている。また、図１２（ａ）の階段勾配θ１と、図１２（ｂ）の階段勾配θ２と、図１２（ｃ）の階段勾配θ３とは、θ１＞θ２＞θ３の関係が成り立っている。
【００５０】
図１２（ａ）〜図１２（ｃ）のように、本実施の形態の階段手摺ユニットは、一対の支柱１３の離間距離Ｌが適宜、距離Ｌ１、距離Ｌ２、距離Ｌ３（Ｌ１＜Ｌ２＜Ｌ３の関係にある）に調整されていることによって、連結部１４ｂの離間距離Ｌ’が調整されて、手摺本体支持部材１４の支持部１４ａの傾斜角度αを階段勾配θとほぼ同じ状態にすることができ、階段勾配θや踏み板Ｓの奥行きＤが違っていても、同一の規格品で柔軟に対応することができる。しかも、踏み板Ｓの奥行きＤが大きい場合には、一対の支柱１３の離間距離Ｌを広げて、一対の支柱１３が踏み板Ｓの奥行きＤ方向に偏って配置されるのを避けることができ、一対の支柱１３を転落防止用の柵としても充分に機能させることができる。
【００５１】
この階段手摺取付ユニットの取り付け方法について、以下で説明する。
【００５２】
実施の形態１の階段手摺取付ユニットは、つぎのような手順でオープン階段の側部（開放側）に設置される。
【００５３】
まず、階段の踏み板が、それぞれ、所定の位置に設置された状態で、作業者は、固定部材１２を各踏み板Ｓのそれぞれの先端部に固定する。具体的には、作業者が、固定部材１２の締結部１２ａを蹴上げ面（垂直面）に対してネジ止め固定することで、固定部材１２は、踏み板Ｓの先端部に取り付けられる。このとき、作業者は、階段全体として平面視で一列に並ぶように、各踏み板Ｓに対して、固定部材１２を固定する。
【００５４】
つぎに、作業者は、配設部材１１を各踏み板Ｓの上面に対して固定する。具体的には、作業者は、基部１１ａの直立部１１ａ２と基部１１ｂの直立部１１ｂ２とが踏み板Ｓの奥行きＤに応じた所定の間隔になるように配設部材１１を調整する。さらに、作業者は、クリップ１１ｃを細隙ＯＰに嵌め入れて基部１１ａと基部１１ｂとを一体化する。そして、作業者は、直立部１１ａ２、１１ｂ２の間隔が特定されて、一体化された状態の配設部材１１の底部１１ａ１、１１ｂ１を踏み面（水平面）に対してネジ止め固定する。
【００５５】
つぎに、作業者は、一対の支柱１３をそれぞれ設置する。具体的には、作業者は、長支柱１３ａの摺動部１３ａ１を先に固定された固定部材１２側に向けて、下端部を踏み板Ｓの上面に向けて下降させて、基部１１ａの直立部１１ａ２を内部に装着する。このとき、摺動部１３ａ１には、固定部材１２の係合部１２ｂが係合して、長支柱１３ａの姿勢を補助的に支える。
【００５６】
また、作業者は、短支柱１３ｂの下端部に基部１１ｂの直立部１１ｂ２を挿入する。こうして、長支柱１３ａおよび短支柱１３ｂは、配設部材１１および固定部材１２によって、直立部１１ａ２および直立部１１ｂ２の間隔に応じて離間した状態で、直立した姿勢に支持される。
【００５７】
つぎに、作業者は、短支柱１３ｂおよび長支柱１３ａの上端部に手摺本体支持部材１４を架設する。具体的には、手摺本体支持部材１４の一対の連結部１４ｂの離間距離Ｌ’を短支柱１３ｂと長支柱１３ａとの離間距離Ｌに合わせる。すなわち、一対の連結部１４ｂの平行な状態を維持したまま、各連結部１４ｂの上端部の軸ＳＨ１、ＳＨ２を中心として、支持部１４ａの両端部を回動させて、支持部１４ａの傾きを調整する。そして、作業者は、各連結部１４ｂの下端側を長支柱１３ａ、短支柱１３ｂの上端部内側に挿入する。このとき、作業者は、支柱１３ａ、１３ｂの挿通孔１３Ａから、内挿された連結部１４ｂの高さ調整孔１４ｂ１に対して、水平に、高さ調整部材１３ｃを貫通させた状態で固定し、支持部１４ａの位置を高さ方向に調整する。
【００５８】
このように、支柱１３ａ、１３ｂが中空長尺状を呈し、上端部内部に手摺本体支持部材の連結部１４ｂおよび下端部内部に配設部材１１の直立部１１ａ２、１１ｂ２に挿入されることで組み立てられる。そして、このような形態を採用することで支柱１３ａ、１３ｂの外径がある程度太く設計され、各部材の組み立てやすさと、支柱１３ａ、１３ｂの剛性とを確保することができる。
【００５９】
上記の作業を各踏み板Ｓに施して、階段手摺取付ユニットの取り付け作業が終了する。最後に作業者は、手摺本体支持部材１４の支持部１４ａ上に手摺本体１５を装着して、オープン階段の手摺の取付作業が完了する。
【００６０】
以上の実施の形態によれば、本実施の形態の階段手摺取付ユニットは、階段の踏み板Ｓの奥行きＤと、階段勾配θとが密接に関わり合っていることに基づいて、手摺本体１５の取り付け構造を、踏み板Ｓ一段単位でモジュール化したものである。一般的に、階段の踏み板Ｓの奥行きＤが大きい場合には、階段勾配θが緩勾配である傾向があり、階段の踏み板Ｓの奥行きＤが小さい場合には、階段勾配θが急勾配である傾向がある。本実施の形態の階段手摺取付ユニットによれば、踏み板Ｓの奥行きＤ方向に伸縮可能に構成された配設部材１１によって、一対の支柱１３が互いの間隔を踏み板Ｓの奥行きＤ方向に調整されて支持されるとともに、この一対の支柱１３の離間距離Ｌに応じて、手摺本体１５を支持する手摺本体支持部材１４の支持部１４ａの傾きαが決定される。つまり、階段の踏み板Ｓの奥行きＤや階段勾配θに現場で急遽変更があったとしても、配設部材１１で支柱１３の離間距離Ｌを調整でき、そして、支柱１３の離間距離Ｌが定まることによって、手摺本体支持部材１４の支持部１４ａの傾きαが自ずと決定される。したがって、手摺取付ユニットの規格化を図りながら、階段勾配θの違いや踏み板Ｓの奥行きＤの違いに柔軟に対応することができる。その結果、現場での手摺取付作業を段取りしやすくなり、作業の効率化を図ることが可能になる。さらに、本実施の形態の階段手摺取付ユニットは階段勾配θや踏み板Ｓの奥行きＤの違いによらず規格化できるので、階段手摺取付ユニットの量産を実現できる。
【００６１】
なお、上記実施の形態では、支柱１３ａ、１３ｂがそれぞれ、中空長尺状を呈し、上端部に手摺本体支持部材１４の連結部１４ｂが挿入され、下端部に配設部材１１の直立部１１ａ２、１１ｂ２が挿入される形態について説明したが、本発明はこれに限定されるものではない。たとえば、支柱１３ａ、１３ｂが棒状を呈し、手摺本体支持部材１４の連結部１４ｂが中空状を呈し、配設部材１１の直立部１１ａ２、１１ｂ２が中空状を呈し、連結部１４ｂが支柱１３ａ、１３ｂの上端部に外嵌され、直立部１１ａ２、１１ｂ２が支柱１３ａ、１３ｂの下端部に外嵌される形態であってもよい。
【００６２】
また、上記実施の形態では、配設部材１１の基部１１ａの底部１１ａ１と基部１１ｂの底部１１ｂ１とがクリップ１１ｃで狭持されて一体化される形態について説明したが、本発明はこれに限定されるものではない。たとえば、底部１１ａ１および底部１１ｂ１がそれぞれ径の異なる中空状を呈し、一方の底部内に他方の底部が挿入されることにより基部１１ａと基部１１ｂとを一体化する形態であってもよい。
【００６３】
また、上記実施の形態では、一つのクリップ１１ｃで基部１１ａと基部１１ｂとを一体化した形態について説明したが、本発明はこれに限定されるものではなく、複数のクリップで基部１１ａと基部１１ｂとを一体化してもよい。
【００６４】
また、上記実施の形態では、連結部１４ｂに高さ調整孔１４ｂ１が複数形成され、支柱１３ａ、１３ｂの上端部にそれぞれ１つの挿通孔１３Ａが形成された形態について説明したが、本発明はこれに限定されるものではない。たとえば、連結部１４ｂに１つの高さ調整孔１４ｂを形成し、支柱１３ａ、１３ｂの上端部に長手方向に並ぶ複数の挿通孔１３Ａを形成する形態であっても、連結部１４ｂの支柱１３ａ、１３ｂ上端部に対する挿入長さを調整することができ、手摺本体支持部材１４の高さ方向の位置を調整することができる。
【符号の説明】
【００６５】
１１  配設部材
１１ａ、１１ｂ  基部
１１ｃ  クリップ
１２  固定部材
１３  支柱
１４  手摺本体支持部材
１４ａ  支持部
１４ｂ  連結部
１５  手摺本体
Ｓ、Ｓ１、Ｓ２、Ｓ３  踏み板
Ｌ、Ｌ１、Ｌ２、Ｌ３  離間距離
Ｄ、Ｄ１、Ｄ２、Ｄ３  奥行き
【図１】
2010255189.tif 000003
【図２】
2010255189.tif 000004
【図３】
2010255189.tif 000005
【図４】
2010255189.tif 000006
【図５】
2010255189.tif 000007
【図６】
2010255189.tif 000008
【図７】
2010255189.tif 000009
【図８】
2010255189.tif 000010
【図９】
2010255189.tif 000011
【図１０】
2010255189.tif 000012
【図１１】
2010255189.tif 000013
【図１２】
2010255189.tif 000014